(57)【要約】【課題】既設の施設園芸用暖房機等に対し、既設設備の大幅な変更を招くことなく、低コスト燃料を用いて、バーナーによる安定した着火性、燃焼性を確保できる燃焼装置と燃焼方法を提供する。【解決手段】重油に対する植物系廃油の混合割合を、重油１に対し植物系廃油を２／３以上、３／２未満の割合として混合した植物系廃油混合燃料を用いる。燃焼室３の入口に取り付けられるバーナー１０は、ポンプ１９により燃料噴射ノズル１５から燃焼室３内に混合燃料を霧状に噴射して、点火トランス１６からの高圧電流により燃料噴射ノズル近傍の点火棒１７に放電火花を発生させ、着火させる構成であり、ポンプ１９に接続される燃料供給配管１８の途中に、混合燃料の油温を予め昇温させるヒーター２５を組み付け、ヒーター２５による混合燃料の昇温範囲を５０℃乃至９０℃に管理してポンプに供給し、当該油温に管理された混合燃料をポンプから燃料噴射ノズルに送出する。【選択図】図３
2008157525.tif 000002
【特許請求の範囲】
【請求項１】
重油に対する植物系廃油の混合割合を、重油１に対し植物系廃油を２／３以上、３／２未満の割合として混合してなる植物系廃油混合燃料が用いられる燃焼装置であって、
燃焼室の入口に、燃料噴射ノズルを内蔵するバーナーが取り付けられ、
前記バーナーは、ポンプによって前記燃料噴射ノズルから前記燃焼室内に前記混合燃料を霧状に噴射するとともに、霧状に噴射された混合燃料に対し、点火トランスからの高圧電流により前記燃料噴射ノズル近傍の点火棒に放電火花を発生させ、着火させる構成であり、
前記ポンプに接続される燃料供給配管の途中に、前記ポンプに供給する混合燃料を予め昇温させるヒーターが組み付けられており、当該ヒーターによる前記混合燃料の昇温範囲を５０℃乃至９０℃の油温に管理して前記ポンプに供給し、当該範囲の油温に管理された混合燃料を前記ポンプから前記燃料噴射ノズルに送出するように構成されていることを特徴とする、植物系廃油混合燃料の燃焼装置。
【請求項２】
前記ヒーターの上流側の燃料供給配管の途中に昇温前の混合燃料を濾過する第１濾過器が設けられ、前記ヒーターの下流側で前記ポンプとの間の燃料供給配管の途中に、昇温後の混合燃料を濾過する第２濾過器が設けられていることを特徴とする請求項１記載の植物系廃油混合燃料の燃焼装置。
【請求項３】
前記重油と前記植物系廃油との比重差が、０．１以内であることを特徴とする請求項１または請求項２記載の植物系廃油混合燃料の燃焼装置。
【請求項４】
重油に対し植物系廃油を混合してなる植物系廃油混合燃料を用いた燃焼方法であって、
重油に対する植物系廃油の混合割合を、重油１に対し植物系廃油を２／３以上、３／２未満の割合として混合して、同混合燃料を燃料供給配管に供給し、
燃料供給配管に供給された混合燃料を予めヒーターによって昇温させて、ヒーターによる混合燃料の昇温範囲を５０℃乃至９０℃の油温に管理して、ポンプに供給し、
同ポンプから当該範囲の油温に管理された混合燃料をバーナーに内蔵された燃料噴射ノズルに送出して、同燃料噴出ノズルから燃焼室内に霧状に噴出し、
霧状に噴射された混合燃料に対し、点火トランスからの高圧電流により点火棒に放電火花を発生させて着火させ、燃焼させることを特徴とする、植物系廃油混合燃料の燃焼方法。
【請求項５】
燃料供給配管に供給された混合燃料を第１の濾過器により濾過した後に、ヒーターによって昇温管理された混合燃料を第２の濾過器により濾過してからポンプに送出することを特徴とする請求項４記載の植物系廃油混合燃料の燃焼方法。
【発明の詳細な説明】
【技術分野】
【０００１】
本発明は、既設設備の燃焼装置を大幅に変更することなく、テンプラ廃油などの植物系廃油を混合した低コスト燃料を用いて、安定した燃焼運転を行えるようにした燃焼装置および燃焼方法に関するものである。
【背景技術】
【０００２】
低温期に暖房機を用いる施設園芸は、他の農業形態と異なり、燃料コストの占める割合が大きく、そのため、近年の石油価格の高騰は、暖房機を用いる施設園芸農家にとって、大変大きな問題、すなわち死活問題となっている。たとえば、施設園芸農家は、一戸あたり機械台数を３〜５台保有しており、その燃料使用量は一戸あたり非常に多く、例えばＡ重油の燃料価格が２倍に上昇すれば、施設園芸農家の受ける打撃が非常に大きくなることが容易に理解されよう。
【０００３】
燃料コストの上昇分を商品価格に転嫁できればよいが、現状では商品価格に転化するのは難しく、そのため、燃料コストの低減、なかでも低コスト燃料の利用について、各方面から強い要望がなされている。再資源化燃料として、再資源ペレット、木質チップなどが知られているが、いずれも製造コストや流通の未整備の諸問題により、一般普及するには至っていない。また、燃料資源として、廃タイヤなどもあるが、セメント工場など大規模工場向けの燃料として用いられるにとどまっている。
【０００４】
近年、家庭や飲食店舗等から排出される廃食用油（従来は産業廃棄物として廃棄処分されていたもの）を燃料に利用するという試みがなされている。廃食用油を用いたバイオディーゼル燃料などはその代表的な例である（例えば、特許文献１、特許文献２参照）。
【０００５】
【特許文献１】特開平９−２３５５７３号公報
【特許文献２】特開２００２−３２７１８５号公報
【発明の開示】
【発明が解決しようとする課題】
【０００６】
しかしながら、施設園芸用に用いられる暖房機などの小型の燃焼装置について、従来の重油単独燃料（Ａ重油）に替わる、低コスト燃料を用いた例は見あたらない。
【０００７】
施設園芸用に用いられる小型の燃焼装置については、低コスト燃料に代替するに際し、既設設備を大幅に変更することなく、装置の改造費用や切替費用を最小限に抑え、もって施設園芸農家の負担を最小限に抑えることが望ましい。また、低コスト燃料を用いるに際しては、バーナーによる着火性、燃焼性を十分確保することが、実用上重要である。
【０００８】
本発明は上記課題に鑑みてなされたもので、その目的は、既設の施設園芸用暖房機等に対し、既設設備の大幅な変更を招くことなく、低コスト燃料を用いることのできる燃焼装置を提供すること、また、バーナーによる安定した着火性、燃焼性を確保して、従来燃料に比べ遜色のない安定した燃焼運転を実現できる燃焼装置および燃焼方法を提供することにある。
【課題を解決するための手段】
【０００９】
上記課題を解決するために、本発明に係る請求項１記載の燃焼装置は、
重油に対する植物系廃油の混合割合を、重油１に対し植物系廃油を２／３以上、３／２未満の割合として混合してなる植物系廃油混合燃料が用いられる燃焼装置であって、
燃焼室の入口に、燃料噴射ノズルを内蔵するバーナーが取り付けられ、
前記バーナーは、ポンプによって前記燃料噴射ノズルから前記燃焼室内に前記混合燃料を霧状に噴射するとともに、霧状に噴射された混合燃料に対し、点火トランスからの高圧電流により前記燃料噴射ノズル近傍の点火棒に放電火花を発生させ、着火させる構成であり、
前記ポンプに接続される燃料供給配管の途中に、前記ポンプに供給する混合燃料を予め昇温させるヒーターが組み付けられており、当該ヒーターによる前記混合燃料の昇温範囲を５０℃乃至９０℃の油温に管理して前記ポンプに供給し、当該範囲の油温に管理された混合燃料を前記ポンプから前記燃料噴射ノズルに送出するように構成されていることを特徴とする。
【００１０】
請求項１記載の燃焼装置によると、重油に対する植物系廃油の混合割合を、重油１に対し植物系廃油を２／３以上、３／２未満の割合で混合した植物系廃油混合燃料を用いることで、重油１００％の燃料に比較して、低コスト燃料を用いることが可能である。重油１に対し植物系廃油の割合を２／３以上としたのは、２／３未満であると、植物系廃油の割合が少な過ぎて、バーナーによる安定着火および安定燃焼が得られるものの、低コスト化が期待できないからである。また、植物系廃油の割合を３／２未満としたのは、３／２以上であると、植物系廃油の割合が多過ぎて、不安定着火および不安定燃焼となるからである。
【００１１】
また、混合燃料の油温を５０℃乃至９０℃に管理するのは、油温が５０℃未満であると、油温が低すぎて、混合燃料、特に植物系廃油に対するバーナーの着火性が悪く、その結果として不安定着火および不安定燃焼となるからである。また、油温が９０℃を超えると、着火性は良いものの、燃料供給配管の管内圧が高くなって、装置の耐久性の点で好ましくないからである。
【００１２】
植物系廃油の着火温度は、重油（Ａ重油）に比較して、一般に高く（廃テンプラ油の場合、発火温度が３００℃以上ある）、発明者の実験によると、植物系廃油のみの場合、油温を高温の９０℃にしても、バーナーの点火棒による放電火花では、着火しないことが分かった。これは、植物系廃油の油温が９０℃程度では、燃料噴出ノズルから噴出される植物系廃油の粒子が大きく、着火に到らなかったものと考えられる。しかし、油温を９０℃を超える温度に上げることは、前記した管やポンプあるいは燃焼噴射ノズルの耐久性を劣化させる問題が生じる。
【００１３】
これに対し、重油１に対する植物系廃油の混合割合を３／２未満とし、合わせて油温を５０℃以上にすることで、微粒子化が促進された重油の着火が促進されて、バーナーにより着火された重油の粒子が火炎の核となって植物系廃油を含む他の粒子に伝播していき、安定した良好な着火性が得られるようになると考えられる。
【００１４】
重油には、主として一般Ａ重油が用いられる。また、植物系廃油には、菜種油、パーム油、大豆油、コーン油、ひまわり油、紅花油、ごま油、綿実油などの単独または混合の植物系油の廃油が用いられる。
【００１５】
植物系廃油燃料に対する安定着火を得ようとすれば、パイロットバーナー（ガス燃焼方式）による点火用火種が考えられる。しかし、パイロットバーナーの場合、パイロットバーナーに供給するガスのガス供給系統や、点火およびガス燃焼運転のための複雑な制御プログラムを別途に必要とし、既設の燃焼装置の大幅な設備変更が必要となる。これに対し、本発明の燃焼装置は、上記管理条件下で混合燃料を燃料噴射ノズルから噴射するものであり、点火トランスからの高圧電流による点火棒の放電火花によって、安定着火および安定燃焼が得られるようになっている。パイロットバーナーに比べると、装置構成が極めて簡単である。
【００１６】
また、本発明に係る燃焼装置は、既存設備のバーナータイプの燃焼装置に対して、燃料供給配管の途中に、混合燃料の昇温に用いるヒーターを組み付けるだけの単純かつ簡易な追加構成だけで足り、設備の大幅な変更は必要とされない。
混合燃料の昇温に用いるヒーターとしては、貯油部内に設置されるニクロム線等の電熱線、燃料供給配管の周囲に配設される温水管、蒸気管などがある。燃料供給配管の途中を、燃焼室を構成する炉体の壁面近傍に沿わせて、炉体の蓄熱をヒーター熱源として用いるようにしてもよい。
【００１７】
本発明に係る請求項２記載の燃焼装置は、前記ヒーターの上流側の燃料供給配管の途中に昇温前の混合燃料を濾過する第１濾過器が設けられ、前記ヒーターの下流側で前記ポンプとの間の燃料供給配管の途中に、昇温後の混合燃料を濾過する第２濾過器が設けられていることを特徴とする。
【００１８】
請求項２記載の燃焼装置によると、ヒーターの上流側の燃料供給配管に設けた第１濾過器によって、昇温前の混合燃料を荒濾しし（特に、植物系廃油の不純物の大部分を濾す）、さらに、ヒーターとポンプとの間の燃料供給配管に設けた第２濾過器によって、昇温後の流動性を増した混合燃料を再び濾過することにより、混合燃料中の不純物が十分に除去され、不純物が十分に除去された混合燃料をポンプに供給できる。その結果、混合燃料の着火性および安定燃焼をより良好にする。
【００１９】
本発明に係る請求項３記載の燃焼装置は、前記重油と前記植物系廃油との比重差が、０．１以内であることを特徴とする。
【００２０】
請求項３記載の燃焼装置によると、重油と植物系廃油の比重差を０．１以内とすることで、貯留状態の混合燃料中の重油と植物系廃油が互いに分離しにくくなる。重油と植物系廃油が分離された状態で燃料噴射ノズルから霧状に噴射されると、不着火や不安定燃焼の原因となるが、重油と植物系廃油が互いに分離しにくいことで、かかる不具合が生じにくい。また、分離しにくいことから、攪拌装置が不要で、既存設備の大幅な変更が要らない。さらに、燃料供給配管内に分離した植物系廃油が付着して、管内から付着した植物系廃油を除去清掃するといったメンテナンス上の問題も生じにくいというメリットがある。
重油、例えばＡ重油の比重は０．８５〜０．８７程度であり、植物系廃油、例えば菜種油の比重は０．９２〜０．９３程度であり、両者の比重差は０．１以内である。発明者により、このＡ重油と廃菜種油を混合すると、分離しにくく安定した混合性状が得られることが確かめられた。
【００２１】
本発明に係る請求項４記載の燃焼方法は、重油に対し植物系廃油を混合してなる植物系廃油混合燃料を用いた燃焼方法であって、
重油に対する植物系廃油の混合割合を、重油１に対し植物系廃油を２／３以上、３／２未満の割合として混合して、同混合燃料を燃料供給配管に供給し、
燃料供給配管に供給された混合燃料を予めヒーターによって昇温させて、ヒーターによる混合燃料の昇温範囲を５０℃乃至９０℃の油温に管理して、ポンプに供給し、
同ポンプから当該範囲の油温に管理された混合燃料をバーナーに内蔵された燃料噴射ノズルに送出して、同燃料噴射ノズルから燃焼室内に霧状に噴出し、
霧状に噴射された混合燃料に対し、点火トランスからの高圧電流により点火棒に放電火花を発生させて着火させ、燃焼させることを特徴とする。
【発明の効果】
【００２２】
以上説明したように、本発明に係る燃焼装置によると、重油に植物系廃油を混合した低コストの混合燃料を用いて、従来の重油単独燃料と比較しても遜色のない安定した燃焼運転を実現することができ、燃料費の大幅節約を図れるという効果を奏する。また、既設設備を大幅変更することなく、既存設備の燃焼装置に対し、ヒーターを追加する簡単施工で上記効果を実現でき、施工費用も必要最小限で済むという効果を奏する。
【００２３】
また、本発明に係る燃焼方法によると、既存の温風暖房機や乾燥機等の燃焼装置に対し、植物系廃油を利用した低コストの混合燃料を用いて安定した燃焼運転を図ることができ、従来廃棄処分されてきた大量の植物系廃油を回収して、燃焼装置の燃料への有効利用を図り、環境負荷を軽減できるという効果を奏する。
【発明を実施するための最良の形態】
【００２４】
本発明を実施するための最良の形態を図１ないし図３を参照して説明する。図１および図２において、１は本発明の燃焼装置を適用した施設園芸用温風暖房機を示している。
【００２５】
まず、施設園芸用温風暖房機１の構成について説明すると、図１に示すように、長手方向に延びる角型形状のケーシング２の内部に、長手方向に延びる燃焼室３を形成する炉体４が配置されている。この炉体４の一端側には燃焼室３の入口を構成する接続筒部５が突設されるとともに、炉体４の他端側には燃焼室３から上部に第１チャンバー室６が突設され、この第１チャンバー室６から炉体４の上面との間に隙間を形成して炉体４の上面と平行に炉体４の一端側へ複数本（図２参照）の熱交換用の煙管７が延びている。各煙管７の先端は第２チャンバー室８に接続されるとともに、第２チャンバー室８には各煙管７に連通する屋外排気用の煙突９が接続されている。
【００２６】
前記炉体４の接続筒部５の内部には、ガンタイプバーナー（以下、「バーナー」と省略する）１０のブロア筒部１１が装着固定されている。バーナー１０の構成については、後述する。ケーシング２の上面には、取付け部１２ａを介して２台の送風機１２，１２が取り付けられている。また、ケーシング２の両側面下部には、ケーシング２内で生成された温風の吐出口１３が形成されている。
【００２７】
上記構成の温風暖房機１は、バーナー１０の燃焼による火炎１４を燃焼室３内に発生させて、１５００℃以上の高温燃焼ガスを、第１チャンバー室６から多数本の煙管７に導き、同煙管７から第２チャンバー室８、煙突９を通り、屋外に排気する一方、２台の送風機１２，１２の運転によりケーシング２内部に外気を取り入れて、多数の煙管７および炉体４の外面との間で熱交換を行い、熱交換によりケーシング２内で生成された温風を、ケーシング２の側面下部の吐出口１３から吐出させ、図示しないダクト等を介して、施設園芸用ハウス内に温風を導入し、ハウス内の暖房に供するようになっている。
【００２８】
バーナー１０の構成について説明すると、図３の概略図に示すように、バーナー１０の外ケースを兼ねるブロア筒部１１の内部の軸心位置に燃料噴出ノズル１５が配置され、燃料噴出ノズル１５の近傍には点火トランス１６からの高圧電流により放電火花を発生させる点火棒１７が配設されている。燃料噴出ノズル１５には、燃料供給配管１８が接続され、燃料供給配管１８の途中に配設されたギアポンプ１９の駆動によって、燃料供給配管１８内の混合燃料が燃料噴出ノズル１５に向けて加圧状態で送出され、同混合燃料が燃料噴出ノズル１５から燃焼室３内に霧状に噴出されるようになっている。燃料噴出ノズル１５に対する混合燃料の送出動作は、図示しない制御装置からの開閉信号に基づく電磁弁２０（ギアポンプ１９の下流側に位置する）の開閉操作によって制御されるようになっている。
【００２９】
ブロア筒部１１には送風ファン２１を内蔵した送風機ケース２２が一体に取り付けられ、モーター２３の駆動により、送風ファン２１が回転して、ブロア筒部１１内の燃料噴出ノズル１５の周囲に前方へ向けての空気流が形成され、この空気流と燃料噴出ノズル１５から噴出される霧状の混合燃料とで混合流が形成されるようになっている。モーター２３は、ギアポンプ１９の駆動をも兼ねており、モーター２３の駆動により、ギアポンプ１９の駆動と送風ファン２１の回転が同期し、ギアポンプ１９の駆動による燃料噴出ノズル１５からの混合燃料の噴出と、送風ファン２１の回転による空気流の送出とが同時に行なわれ、前記した霧状の混合燃料と空気流との混合流が強制的に作り出されるようになっている。そして、燃料噴出ノズル１５の前方でブロア筒部１１の先端開口部には、ディフューザー２４が取り付けられ、このディフューザー２４においてブロア筒部１１内部を流れる空気流が旋回流となって、混合燃料の一層の霧状化と混合流の促進が図られるようになっている。
【００３０】
ギアポンプ１９の上流側の燃料供給管１８には、同燃料供給配管１８内をギアポンプ１９に向けて送られる混合燃料を予め昇温させるヒーター２５を内蔵する貯油部（ラインヒーター）２６が設けられている。この貯油部２６には、前記ヒーター２５によって貯油部２６内の混合燃料を５０℃乃至９０℃に昇温管理する制御部２７が設けられている。この制御部２７は、貯油部２６内の混合燃料の温度を５０℃乃至９０℃の範囲で温度設定し、ヒーター２５を作動させて、貯油部２６内の混合燃料が設定した温度に達すると、貯油部２６内に配置した温度センサー２８からの信号によりヒーター２５をＯＦＦ制御し、貯油部２６内の混合燃料の温度が設定温度を下回ると（例えば、設定温度―５℃）、前記温度センサー２８からの信号によりヒーター２５をＯＮ制御して、貯油部２６内の混合燃料を再び設定温度まで昇温させる。このようにして、温度センサー２８からの信号によりヒーター２５をＯＮ／ＯＦＦ制御して、貯油部２６内の混合燃料の油温を昇温管理するようになっている。
【００３１】
貯油部２６には、ギアポンプ１９から燃料噴射ノズル１５側へ送出されなかった分の混合燃料が燃料戻り配管２９を介して戻されるようになっている。この燃料戻り配管２９の合流点Ｐの上流側の燃料供給配管１８の途中には、昇温前の混合燃料を濾過する第１ストレーナー（濾過器）３０が設けられ、また、貯油部２６の下流側でギアポンプ１９との間の燃料供給配管１８には、ヒーター２５による昇温後に流動性が増した状態の混合燃料を濾過する第２ストレーナー（濾過器）３１が設けられている。なお、符号３２は、燃料噴出ノズル１５の後方に設けられたノズルヒーターを示している。
【００３２】
前者の第１ストレーナー３０の上流側の燃料供給配管１８には、混合燃料を最初に貯留する貯留タンク３３が接続されている。この貯留タンク３３には、混合燃料の消費量に応じて混合燃料が補充されるようになっている。
【００３３】
本実施形態の温風暖房機１に使用する混合燃料としては、Ａ重油に一定の混合割合の植物性廃油、例えば、廃菜種油、廃パーム油等を混合したものが用いられる。Ａ重油に対する植物性廃油の混合割合は、Ａ重油１に対し、植物性廃油を２／３以上、３／２未満とする。例えば、Ａ重油と植物性廃油の混合割合を６：４あるいは５：５とすることが考えられる。
【００３４】
次に、上記構成の温風暖房機１において、上記植物性廃油混合燃料を用いた燃焼運転方法について説明する。
【００３５】
上述したように、温風暖房機１においては、バーナー１０の燃焼運転により植物系廃油混合燃料を燃焼室３内で燃焼させて、熱交換部たる多数本の煙管５および炉体４の外面において、内部の高温（１５００℃〜２０００℃）の燃焼ガスと、送風機１２の運転によりケーシング２内部に取り入れられた外気との間で熱交換を行い、熱交換によりケーシング２内で生成された温風を、ケーシング２の側面下部の吐出口１３から吐出させ、施設園芸ハウス内の暖房に供するようになっている。
【００３６】
送風機１２およびバーナー１０（モーター２３、点火トランス１６）の運転は、適所に取付けられた温度センサーからの温度信号に基づく制御装置からのＯＮ／ＯＦＦ信号により制御される。すなわち、ハウス内の温度が設定値を下回る時はＯＮ信号によりバーナー５が点火され、設定値を上回る時はＯＦＦ信号によりバーナー５が停止される。これによりハウス内の暖房温度が制御装置の暖房温度設定値に従って一定温度に維持される。
【００３７】
貯留タンク３１内に貯留された混合燃料は、燃料供給配管１８を通り、第１ストレーナー３０で濾過されてから、低温期で約１５℃前後の油温で、貯油部２６に向かい、貯油部２６内部のヒーター２５によって５０℃乃至９０℃に昇温管理された状態で貯留される。そして、制御装置からの駆動信号によりモーター２３が駆動されると、ギアポンプ１９の駆動により、貯油部２６内の５０℃乃至９０℃に油温管理された混合燃料は、第２ストレーナー３１で再び濾過された後、ギアポンプ１９に向かい、ギアポンプ１９によって加圧状態となり、制御装置からの信号により電磁弁２０が開かれると、ノズルヒーター３２を介して燃料噴出ノズル１５から燃焼室３内に霧状に噴出される。同時に、ギアポンプ１９の駆動と同期して、モーター２３の駆動により、送風ファン２１が回転して、空気流がブロア筒部１１内に送出され、ディフューザー２４で旋回流とされて、前記した霧状の混合燃料との混合流となって燃焼室３内に噴出される。そして、点火トランス１６からの高圧電流により点火棒から放電火花が発生して、霧状の混合燃料に着火し、燃焼室３内に火炎１４を生成する。
【００３８】
ギアポンプ１９で燃料噴出ノズル１５側へ送出されなかった分の混合燃料は、燃料戻り配管２９を通り、貯油部２６に戻され、再びヒーター２５によって５０℃〜９０℃に加温維持される。貯油部２６には、ギアポンプ１９から燃料噴射ノズル１５側へ送出された分の混合燃料が、上流側の貯留タンク３３から燃料供給配管１８を通して補給される。
【００３９】
以上の実施形態では施設園芸用温風暖房機１への適用例を説明したが、本発明は乾燥機の燃焼装置に適用できるのはもちろんである。
【実施例１】
【００４０】
本発明者は、既設の施設園芸用温風暖房機に対し本発明を適用し、植物系廃油混合燃料を用いた燃焼性試験（着火性、安定燃焼性）を行った。燃焼性試験は、着火性、安定燃焼性（火炎形状）について、油バーナ性能試験方法（ＪＩＳＢ８４０７）の試験要領および測定方法を参考にして行った。表１にその試験結果を示す。
試験用油は、Ａ重油（比重０．８５９）に廃テンプラ油（比重０．９２１）（注１）を混合したものを用い、それぞれの混合比率を変えて試験を行った。また、油温度は、貯留部における油温設定温度を５０℃から９０℃まで段階的に１０℃ずつ上げて、それぞれの油温で試験を行った。（注１）原材料には、菜種油、パームオレイン、シリコーンが含まれる。
試験に用いる暖房機は、バーナーの形式がＧＢ-６００Ｅ、燃油量が１９リットル／時間であり、油圧を１０．５ｋｇ／ｃｍ２に設定した。また、バーナー用の送風機の吸気ダンパの開度を３／１０に設定した。
【００４１】
着火性は、バーナーと反対側の炉体の覗き窓（図１の符号３４で示す）より肉眼によって計２回測定を行い、判定した。電磁弁が開いて燃料噴出ノズルから試験用油が霧状に噴出すると略同時に燃焼が始まる状態を安定着火（正常着火）と判定し、燃料噴出ノズルから試験用油が霧状に噴出するのに数秒遅れて燃焼が始まる状態を不安定着火と判定した。◎と○は正常着火で、◎はＡ重油単独の燃料による着火と同程度の安定着火、○はＡ重油単独の燃料による着火より若干劣るが遜色のない程度の安定着火、△は着火遅れによる不安定着火、×は不着火をそれぞれ示す。着火性の評価を表１の各評価欄の上段に示す。
安定燃焼性（火炎形状）は、バーナーと反対側の炉体の覗き窓より肉眼によって計２回測定を行い、判定した。火炎形状として中実炎が形成され、火炎軸を中心として指向性のある安定形状となった状態を安定燃焼（正常燃焼）と判定し、火炎形状が炉体内面周囲に乱流状態に形成され、飛散油も生じる状態を不安定燃焼と判定した。◎と○は正常燃焼で、◎はＡ重油単独の燃料による燃焼と同程度の安定燃焼、○はＡ重油単独の燃料による燃焼より若干劣るが遜色のない程度の安定燃焼、△は不安定燃焼、×は不燃焼（不着火）をそれぞれ示す。安定燃焼性の評価を表１の各評価欄の下段に示す。
【００４２】
【表１】
2008157525.tif 000003
表１の試験結果によると、Ａ重油と廃テンプラ油の混合比率が６０：４０、５０：５０、いずれの場合であっても、油温度が５０℃〜９０℃の範囲で、着火性、安定燃焼性いずれも良好な燃焼結果が得られた。なかでも、６０℃〜８０℃の範囲では、特に良好な結果が得られた。これに対し、Ａ重油と廃テンプラ油の混合比率を４０：６０、３０：７０と、廃テンプラ油の比率を質量比で２０以上大きくすると、安定着火せず、良好な燃焼結果が得られなかった。このことは、廃テンプラ油の混合比率を大きくし過ぎると、油温度を９０℃の高温に上げても、廃テンプラ油の着火温度に達せず（廃テンプラ油の発火温度は３００℃以上である）、混合油全体としての着火性が悪くなるためと考えられる。
【産業上の利用可能性】
【００４３】
本発明は、既設の温風暖房機や乾燥機などの燃焼装置に対し、既存施設の大幅な変更を加えることなく、植物系廃油を混合した低コスト燃料を使用できる燃焼装置と燃焼方法として、利用することができる。
【図面の簡単な説明】
【００４４】
【図１】本発明に係る燃焼装置を適用した施設園芸用温風暖房機を示す縦断面図である。
【図２】図１の温風暖房機のＡ−Ａ線矢視断面図である。
【図３】図１の温風暖房機に取付けられるバーナーの構造および燃料供給系統を示す概略図である。
【符号の説明】
【００４５】
１  施設園芸用温風暖房機
２  ケーシング
３  燃焼室
４  炉体
５  接続筒部
６  第１チャンバー室
７  煙管
８  第２チャンバー室
９  煙突
１０  ガンタイプバーナー（バーナー）
１１  ブロア筒部
１２  送風機
１２ａ  取付け部
１３  吐出口
１４  火炎
１５  燃料噴出ノズル
１６  点火トランス
１７  点火棒
１８  燃料供給配管
１９  ギアポンプ
２０  電磁弁
２１  送風ファン
２２  送風機ケース
２３  モーター
２４  ディフューザー
２５  ヒーター
２６  貯油部（ラインヒーター）
２７  制御部
２８  温度センサー
２９  燃料戻り配管
３０  第１ストレーナー（濾過器）
３１  第２ストレーナー（濾過器）
３２  ノズルヒーター
３３  貯留タンク
【図１】
2008157525.tif 000004
【図２】
2008157525.tif 000005
【図３】
2008157525.tif 000006